(57)【要約】【課題】  複数種のデジタル放送の再送信について、伝送系統を１系統化してシステムコストを抑え、安定した品質で放送信号を伝送する。【解決手段】  送信処理装置５にて、１２ＧＨｚ帯のデジタル放送信号について、２．６ＧＨｚ以下の帯域の他のデジタル放送信号と混合する際に、中間周波数まで落とすことなく、直接、未使用周波数帯域である２．６ＧＨｚ以上の帯域に変換して混合し、同軸ケーブルでは伝送困難となった信号を電気信号から光信号に変換し、光ファイバによる光伝送路１６を通じて伝送した後、受信処理装置１７にて、光信号を受信して電気信号に変換し、送信側で周波数変換された放送信号を元の帯域に戻すことで、伝送周波数帯による減衰量格差の問題を解消する。【選択図】      図１
2006295497.tif 000002
【特許請求の範囲】
【請求項１】
１２ＧＨｚ帯の１または複数のデジタル放送信号を２．６ＧＨｚ以上の未使用帯域に直接変換する帯域変換手段と、
前記帯域変換されたデジタル放送信号を２．６ＧＨｚ以下の周波数帯域で伝送される他のデジタル放送信号と混合する混合手段と、
前記混合されたデジタル放送信号を光信号に変換する電気／光変換手段と、
前記光信号を伝送する光伝送手段と、
前記光伝送手段によって伝送される光信号を受信して電気信号に変換する光／電気変換手段と、
前記受信された光信号から前記混合手段で混合されたデジタル放送信号をそれぞれ分離する分離手段と、
前記分離されたデジタル放送信号をそれぞれ対応する放送受信機器の入力周波数帯に変換する周波数変換手段と
を具備することを特徴とするデジタル放送信号伝送システム。
【請求項２】
前記１２ＧＨｚ帯の１または複数のデジタル放送信号は、ＪＣＳＡＴ−３通信衛星放送の１２．２５ＧＨｚ〜１２．７３ＧＨｚ帯の垂直偏波信号及び１２．２７ＧＨｚ〜１２．７５ＧＨｚ帯の水平偏波信号、ＪＣＳＡＴ−４Ａ通信衛星放送信号の１２．２５ＧＨｚ〜１２．７３ＧＨｚ帯の垂直偏波信号及び１２．２７ＧＨｚ〜１２．７５ＧＨｚ帯の水平偏波信号の少なくともいずれかであり、前記２．６ＧＨｚ以下の周波数帯域で伝送される他のデジタル放送信号は、地上デジタル放送の４７０ＭＨｚ〜７７０ＭＨｚ帯の放送信号、ＢＳ（Broadcast Satellite）放送の１０３２ＭＨｚ〜１４８９ＭＨｚ帯の放送信号、１１０度ＣＳ（Communication Satellite）放送の１５９５ＭＨｚ〜２６０２ＭＨｚ帯に変換された右旋・左旋放送信号の少なくともいずれかであることを特徴とする請求項１記載のデジタル放送信号伝送システム。
【請求項３】
前記光伝送手段は、前記光信号を複数系統に分配する光分配手段を備えることを特徴とする請求項１記載のデジタル放送信号伝送システム。
【請求項４】
１２ＧＨｚ帯の１または複数のデジタル放送信号を２．６ＧＨｚ以上の未使用帯域に直接変換する帯域変換手段と、
前記帯域変換されたデジタル放送信号を２．６ＧＨｚ以下の周波数帯域で伝送される他のデジタル放送信号と混合する混合手段と、
前記混合されたデジタル放送信号を光信号に変換して光伝送路に送出する電気／光変換手段と
を具備することを特徴とするデジタル放送信号伝送システムの送信処理装置。
【請求項５】
前記１２ＧＨｚ帯の１または複数のデジタル放送信号は、ＪＣＳＡＴ−３通信衛星放送の１２．２５ＧＨｚ〜１２．７３ＧＨｚ帯の垂直偏波信号及び１２．２７ＧＨｚ〜１２．７５ＧＨｚ帯の水平偏波信号、ＪＣＳＡＴ−４Ａ通信衛星放送信号の１２．２５ＧＨｚ〜１２．７３ＧＨｚ帯の垂直偏波信号及び１２．２７ＧＨｚ〜１２．７５ＧＨｚ帯の水平偏波信号の少なくともいずれかであり、前記２．６ＧＨｚ以下の周波数帯域で伝送される他のデジタル放送信号は、地上デジタル放送の４７０ＭＨｚ〜７７０ＭＨｚ帯の放送信号、ＢＳ（Broadcast Satellite）放送の１０３２ＭＨｚ〜１４８９ＭＨｚ帯の放送信号、１１０度ＣＳ（Communication Satellite）放送の１５９５ＭＨｚ〜２６０２ＭＨｚ帯に変換された右旋・左旋放送信号の少なくともいずれかであることを特徴とする請求項４記載のデジタル放送信号伝送システムの送信処理装置。
【発明の詳細な説明】
【技術分野】
【０００１】
本発明は、地上デジタル放送、複数のデジタル衛星放送等の各種デジタル放送を夫々のアンテナで個別に受信し、その受信信号をまとめて再送信するデジタル放送信号伝送システムに関する。
【背景技術】
【０００２】
近時、ＢＳ（Broadcast Satellite）放送・１１０度ＣＳ（Communication Satellite）放送及びＣＳ放送におけるデジタル衛星放送に加え、地上デジタル放送が開始された。このような複数の放送信号を受信して複数の端末に再送信する伝送システムにあっては、衛星放送の信号をアンテナ出力部に装備されるコンバータによって同軸ケーブルなどの伝送に適した中間周波数に変換するが、互いに中間周波数が重複するため、同じ伝送線路で伝送することができず、別個に敷設された同軸ケーブルにより伝送するようにしている。
【０００３】
例えば、地上デジタル放送と、ＢＳ放送・１１０度ＣＳ放送と、ＣＳ放送のＪＣＳＡＴ−４Ａサービス及びＪＣＳＡＴ−３サービスとを受信し、それぞれ複数の端末に伝送するためには、ＢＳ放送・１１０度ＣＳ放送の放送信号の中間周波数と、ＣＳ放送ＪＣＳＡＴ−４Ａサービスの信号の中間周波数と、ＣＳ放送ＪＣＳＡＴ−３サービスの信号の中間周波数が重複する。このため、地上デジタル放送＋ＢＳ放送＋１１０度ＣＳ放送の伝送系統１、ＣＳ放送ＪＣＳＡＴ−４Ａサービスの伝送系統２、ＣＳ放送ＪＣＳＡＴ−３サービスの伝送系統３と、３系統の同軸システムの構成で伝送される。
【０００４】
尚、ＣＳ放送におけるＪＣＳＡＴ−４Ａサービスの水平（Ｈ）・垂直（Ｖ）偏波をＪＣＳＡＴ−３サービスの水平（Ｈ）・垂直（Ｖ）偏波の中間周波数と重複しないように周波数変換し、ＣＳ放送を１系統で伝送することにより、２系統の同軸システムの構成で伝送する方法もある。
【０００５】
また、伝送線路として一般的に同軸ケーブルを使用されるが、同軸ケーブルの特性は伝送周波数が高くなればなるほど伝送損失が増加することが知られている。ＪＩＳ規格では、１８００ＭＨｚにおける同軸ケーブルの減衰量を規定しているが、現存する１１０度ＣＳ放送の右旋円偏波やＣＳスカイパーフェクＴＶ放送の周波数帯域である２０７２ＭＨｚまでは規定されていない。このため、上記のような高周波放送信号を伝送するには、伝送損失を補償するために、伝送区間に増幅器を多段に設置する必要がある。
【０００６】
さらに、将来予定されている１１０度ＣＳ放送の左旋円偏波の中間周波数は、２１２６ＭＨｚ〜２６０２ＭＨｚとさらに高い周波数帯域を使用される見込みである。
一方、周波数が高い衛星放送の中間周波数を光ファイバで伝送し、周波数の低い地上波放送の周波数を同軸ケーブルで伝送した後、合成して出力する方法もある（特許文献１参照）。しかし、この方法では光ファイバによる伝送系と同軸ケーブルによる伝送系と異なる２系統の伝送構成になるため、経済的な不利益が大きくなると共に、設計や運用管理が複雑になるおそれがある。
【０００７】
【特許文献１】特開平７−１０７３２８号公報
【発明の開示】
【発明が解決しようとする課題】
【０００８】
以上述べたように、従来のデジタル放送伝送システムでは、同軸ケーブルによる３系統または２系統の伝送構成や、光ファイバと同軸ケーブルを組み合わせた２系統の伝送構成では、伝送形態が複雑となり、増幅器の多段接続における伝送品質劣化の問題、コスト面の問題、スペースの問題、増幅器の電源取得の問題、故障時対応や機器調整など保守運用の問題など多くの問題発生につながる。
【０００９】
また、従来の放送ＩＦで想定されていない２．６ＧＨｚ超の帯域信号を伝送する場合、同軸ケーブルでは伝送損失が非常に多く、長距離および多分配伝送が困難であるという問題発生につながる。例えば、Ｓ−７Ｃ−ＦＢの同軸ケーブルで信号を伝送する場合、１ＧＨｚ帯信号と５ＧＨｚ帯信号では１メートル当たりの伝送信号減衰量が３倍程度異なる。
【００１０】
また、放送信号にはアナログ変調信号とデジタル変調信号と２種類に分類することができるが、アナログ変調信号は、デジタル変調信号と比較して１０ｄＢ程度良好な品質が要求されるため、１キャリア当たりに配分する変調度が多くなり、電気／光変換部、増幅部に高い線形性を要求することとなる。このようにアナログ変調信号を伝送する場合、構成部へ高い直線性を要求しなければならず、構成品選定が困難となるという問題発生につながる。
【００１１】
本発明は上記の事情を鑑みてなされたもので、地上デジタル放送及び複数の衛星放送といった複数種のデジタル放送の再送信について、伝送系統を１系統化し、システムコストを抑え、また増幅器などの多段接続をなくし、安定した品質で放送信号を伝送することのできるデジタル放送信号伝送システムとその送信処理装置及び受信処理装置を提供することを目的とする。
【課題を解決するための手段】
【００１２】
本発明に係るデジタル放送信号伝送システムは、以下のように構成される。
（１）１２ＧＨｚ帯の１または複数のデジタル放送信号を２．６ＧＨｚ以上の未使用帯域に直接変換する帯域変換手段と、前記帯域変換されたデジタル放送信号を２．６ＧＨｚ以下の周波数帯域で伝送される他のデジタル放送信号と混合する混合手段と、前記混合されたデジタル放送信号を光信号に変換する電気／光変換手段と、前記光信号を伝送する光伝送手段と、前記光伝送手段によって伝送される光信号を受信して電気信号に変換する光／電気変換手段と、前記受信された光信号から前記混合手段で混合されたデジタル放送信号をそれぞれ分離する分離手段と、前記分離されたデジタル放送信号をそれぞれ対応する放送受信機器の入力周波数帯に変換する周波数変換手段とを具備して構成される。
【００１３】
（２）（１）の構成において、特に、前記１２ＧＨｚ帯の１または複数のデジタル放送信号は、ＪＣＳＡＴ−３通信衛星放送の１２．２５ＧＨｚ〜１２．７３ＧＨｚ帯の垂直偏波信号及び１２．２７ＧＨｚ〜１２．７５ＧＨｚ帯の水平偏波信号、ＪＣＳＡＴ−４Ａ通信衛星放送信号の１２．２５ＧＨｚ〜１２．７３ＧＨｚ帯の垂直偏波信号及び１２．２７ＧＨｚ〜１２．７５ＧＨｚ帯の水平偏波信号の少なくともいずれかであり、前記２．６ＧＨｚ以下の周波数帯域で伝送される他のデジタル放送信号は、地上デジタル放送の４７０ＭＨｚ〜７７０ＭＨｚ帯の放送信号、ＢＳ（Broadcast Satellite）放送の１０３２ＭＨｚ〜１４８９ＭＨｚ帯の放送信号、１１０度ＣＳ（Communication Satellite）放送の１５９５ＭＨｚ〜２６０２ＭＨｚ帯に変換された右旋・左旋放送信号の少なくともいずれかであることを特徴とする。
【００１４】
（３）（１）の構成において、また、前記光伝送手段は、前記光信号を複数系統に分配する光分配手段を備えることを特徴とする。
本発明に係るデジタル放送信号伝送システムの送信処理装置は、以下のように構成される。
（４）１２ＧＨｚ帯の１または複数のデジタル放送信号を２．６ＧＨｚ以上の未使用帯域に直接変換する帯域変換手段と、前記帯域変換されたデジタル放送信号を２．６ＧＨｚ以下の周波数帯域で伝送される他のデジタル放送信号と混合する混合手段と、前記混合されたデジタル放送信号を光信号に変換して光伝送路に送出する電気／光変換手段とを具備して構成される。
【００１５】
（５）（４）の構成において、前記１２ＧＨｚ帯の１または複数のデジタル放送信号は、ＪＣＳＡＴ−３通信衛星放送の１２．２５ＧＨｚ〜１２．７３ＧＨｚ帯の垂直偏波信号及び１２．２７ＧＨｚ〜１２．７５ＧＨｚ帯の水平偏波信号、ＪＣＳＡＴ−４Ａ通信衛星放送信号の１２．２５ＧＨｚ〜１２．７３ＧＨｚ帯の垂直偏波信号及び１２．２７ＧＨｚ〜１２．７５ＧＨｚ帯の水平偏波信号の少なくともいずれかであり、前記２．６ＧＨｚ以下の周波数帯域で伝送される他のデジタル放送信号は、地上デジタル放送の４７０ＭＨｚ〜７７０ＭＨｚ帯の放送信号、ＢＳ（Broadcast Satellite）放送の１０３２ＭＨｚ〜１４８９ＭＨｚ帯の放送信号、１１０度ＣＳ（Communication Satellite）放送の１５９５ＭＨｚ〜２６０２ＭＨｚ帯に変換された右旋・左旋放送信号の少なくともいずれかであることを特徴とする。
【００１６】
すなわち、従来では、１２ＧＨｚ帯のデジタル放送信号を受信した場合、伝送線路に使用される同軸ケーブルの特性に合わせて１ＧＨｚ〜２ＧＨｚあたりに帯域を変換しているが、他のデジタル放送信号も合わせて伝送しようとすると、その信号も同様の周波数帯域に変換されているため、そのまま混合することはできない。そこで、本発明は、伝送線路に光ファイバによる光伝送路を用いることを前提に、１２ＧＨｚ帯のデジタル放送信号については２．６ＧＨｚ以上の未使用帯域に帯域変換し、２．６ＧＨｚ以下の他のデジタル放送信号と混合できるようにしている。
【００１７】
例えば、従来のＪＣＳＡＴ−３通信衛星放送の１２．２５ＧＨｚ〜１２．７３ＧＨｚ帯の垂直偏波信号及び１２．２７ＧＨｚ〜１２．７５ＧＨｚ帯の水平偏波信号、ＪＣＳＡＴ−４Ａ通信衛星放送信号の１２．２５ＧＨｚ〜１２．７３ＧＨｚ帯の垂直偏波信号及び１２．２７ＧＨｚ〜１２．７５ＧＨｚ帯の水平偏波信号を受信するための受信アンテナには、ＬＮＢ（Low Noise Block Converter）が装着されており、１２ＧＨｚ帯の衛星ダウンリンク信号を伝送線路として用いられる同軸ケーブルの特性に合わせ１ＧＨｚ〜２ＧＨｚあたりに周波数変換している。しかしながら、伝送線路に光ファイバケーブルによる光伝送路を用いればこの限りでなく、さらに高い周波数に変換し、伝送周波数の幅を広げることができる。
【００１８】
そこで、本発明では、ＪＣＳＡＴ−３通信衛星放送の垂直偏波信号及び水平偏波信号、ＪＣＳＡＴ−４Ａ通信衛星放送信号の垂直偏波信号及び水平偏波信号をＬＮＢで直接２．６ＧＨｚ以上の帯域に変換するようにし、他のデジタル放送信号の帯域と重ならないようにして混合し、光信号に変換して伝送するようにしている。このように、送信処理において混合後すぐに電気／光変換して光伝送手段で伝送するという特徴をもつことで、伝送周波数帯による減衰量格差があるという問題を解消する。また、伝送すべき信号をデジタルに限定するという特徴を有することで、電気／光変換時のチャネル当たりの変調度、全変調度を抑制し、広帯域のデジタル放送信号光伝送をより安易に可能としている。
【発明の効果】
【００１９】
以上、本発明によれば、地上デジタル放送及び複数の衛星放送といった複数種のデジタル放送の再送信について、伝送系統を１系統化し、システムコストを抑え、また増幅器などの多段接続をなくし、安定した品質で放送信号を伝送することのできるデジタル放送信号伝送システムとその送信処理装置及び受信処理装置を提供することができる。
【発明を実施するための最良の形態】
【００２０】
以下、図面を参照して本発明の実施の形態を詳細に説明する。
図１は本発明に係るデジタル放送伝送システムの構成を示すもので、アンテナ系としては、ＢＳ・１１０度ＣＳデジタル衛星放送受信用パラボラアンテナ（以下、第１衛星デジタルアンテナ）１、地上デジタルＴＶ放送受信用アンテナ（以下、地上デジタルアンテナ）３、ＣＳデジタル衛星放送受信用パラボラアンテナ（以下、第２衛星デジタルアンテナ）６ａ，６ｂが用意される。以下、図２に示す、各デジタル放送信号の周波数帯と再送信のための伝送周波数帯との関係を参照しながら、システム構成を説明する。
【００２１】
第１衛星デジタルアンテナ１の出力部には周波数コンバータ（ＬＮＢ：Low Noise Block Converter）２が装着されている。この周波数コンバータ２は、アンテナ１で受けたＢＳ放送の１１．７１ＧＨｚ〜１２．１７ＧＨｚ帯の信号Ｂを規定の中間周波数帯１０３２ＭＨｚ〜１４８９ＭＨｚに変換し、１１０度ＣＳ放送の１２．２７ＧＨｚ〜１２．７５ＧＨｚ帯の右旋円偏波信号及び１２．２５〜１２．７３ＧＨｚ帯の左旋円偏波信号Ｃをそれぞれ規定の中間周波数帯１５９５ＭＨｚ〜２０７１ＭＨｚ、２１２６ＭＨｚ〜２６０２ＭＨｚに変換するためのもので、その出力は地上デジタルアンテナ３で受けた地上デジタル放送信号Ａと共にブースター４に送られて混合及び増幅される。以下、この信号を放送信号Ｇとする。この放送信号は送信処理装置５に送られる。
【００２２】
送信処理装置５は、第２衛星デジタルアンテナ６ａ，６ｂで受信されたＪＣＳＡＴ−３、ＪＣＳＡＴ−４Ａの信号をそれぞれ分波部７ａ，７ｂに入力して、１２．２５ＧＨｚ〜１２．７３ＧＨｚ帯の垂直偏波信号（Ｖ）と１２．２７ＧＨｚ〜１２．７５ＧＨｚ帯の水平偏波信号（Ｈ）に分離する。分波部７ａから出力されるＪＣＳＡＴ−３（Ｖ），ＪＣＳＡＴ−３（Ｈ）はそれぞれ周波数変換部８ａ，８ｂで２．６ＧＨｚ以上の互いに重ならない帯域に周波数変換される。以下、周波数変換後のＪＣＳＡＴ−３（Ｖ），ＪＣＳＡＴ−３（Ｈ）をそれぞれ放送信号Ｄ１，Ｄ２とする。同様に、分波部７ｂから出力されるＪＣＳＡＴ−４Ａ（Ｖ），ＪＣＳＡＴ−４Ａ（Ｈ）はそれぞれ周波数変換部８ｃ，８ｄで２．６ＧＨｚ以上でかつ放送信号Ｄ１，Ｄ２以上の、互いに重ならない帯域に周波数変換される。以下、周波数変換後のＪＣＳＡＴ−４Ａ（Ｖ），ＪＣＳＡＴ−４Ａ（Ｈ）をそれぞれ放送信号Ｅ１，Ｅ２とする。
【００２３】
上記放送信号Ｄ１，Ｄ２は混合部９ａで混合されて放送信号Ｄ３となり、上記放送信号Ｅ１，Ｅ２は混合部９ｂで混合されて放送信号Ｅ３となり、両者は混合部１０でさらに混合され、増幅部１１で増幅されて放送信号Ｆとなる。
また、上記送信処理装置５は、入力端子１２から放送信号Ｇを取り込み、混合部１３で放送信号Ｆと混合して放送信号Ｈを生成する。この放送信号Ｈは電気−光変換部（Ｅ／Ｏ）１４で光信号に変換され、光出力端子１５から光ファイバによる光伝送路１６に送出される。
【００２４】
一方、受信処理装置１７は、上記光伝送路１６によって光伝送される光信号を光入力端子１８から取り込み、光−電気変換部（Ｏ／Ｅ）１９で宅内出力に適した電気信号に変換して放送信号Ｈを復元する。この放送信号Ｈは分割部２０によって２．６ＧＨｚ以下の帯域の放送信号Ｇと２．６ＧＨｚ以上の帯域の放送信号Ｆの２系統に分割される。
【００２５】
放送信号Ｇは増幅器２３ａで増幅されて出力端子２４ａから分波器２５へ出力される。この分波器２５は、地上デジタル放送信号とＢＳ・１１０度ＣＳデジタル放送信号とを分波するもので、共に地上デジタル・ＢＳ・１１０度ＣＳチューナ２６に入力され、これによって、地上デジタル放送、ＢＳデジタル放送、１１０度ＣＳ放送それぞれのデジタル放送信号を任意に選局して、テレビジョン受像器（ＴＶ）２７で視聴可能となる。
【００２６】
一方、上記分割部２０にて分割された２．６ＧＨｚ以上の帯域の放送信号Ｆは分割部２１でさらに放送信号Ｄ３と放送信号Ｅ３に分割される。これらの放送信号Ｄ３，Ｅ３はそれぞれ周波数変換部２２ａ，２２ｂによって規定の周波数に変換されて放送信号Ｄ４，Ｅ４となり、増幅部２３ｂ，２３ｃで増幅されて、出力端子２４ｂ，２４ｃから衛星切替装置２８に出力される。衛星切替装置２８は、ＪＣＳＡＴ−３（Ｖ），ＪＣＳＡＴ−３（Ｈ），ＪＣＳＡＴ−４Ａ（Ｖ），ＪＣＳＡＴ−４Ａ（Ｈ）のうち、契約等によって決められた放送信号を選択的するもので、選択された放送信号はＣＳチューナ２９に入力され、これによって任意のチャンネルを選局して、テレビジョン受像器２７で視聴可能となる。
【００２７】
上記構成において、以下、図２を参照して、その処理動作を説明する。
まず、本システムの送信処理装置５には、図２に示すように、４７０ＭＨｚ〜７７０ＭＨｚ帯の地上デジタル放送信号（放送信号Ａ）、ＬＮＢ２によって周波数変換された１０３２ＭＨｚ〜１４８９ＭＨｚ帯のＢＳ（Broadcast Satellite）放送信号（但し、１３３６ＭＨｚ〜１４８９ＭＨｚは拡張領域）（放送信号Ｂ）、１５９５ＭＨｚ〜２６０２ＭＨｚ帯の１１０度ＣＳ（Communication Satellite）右旋（１５９５ＭＨｚ〜２０７１ＭＨｚ）・左旋（２１２６ＭＨｚ〜２６０２ＭＨｚ）放送信号（放送信号Ｃ）が入力される。ここで、ＪＣＳＡＴ−３通信衛星放送信号（放送信号Ｄ）及びＪＣＳＡＴ−４Ａ通信衛星放送信号（放送信号Ｅ）を入力した際に、同軸ケーブル伝送に適した２．６ＧＨｚ以下の周波数帯に変換してしまうと、地上デジタル放送、ＢＳ・１１０度ＣＳデジタル放送の信号と重複してしまうため、混合して１系統（同じ伝送線路）での伝送が不可能となる。
【００２８】
そこで、本発明では、放送信号Ｄ，Ｅをそれぞれ中間周波数帯に変換することなく、直接、未使用周波数帯域である２．６ＧＨｚ以上の高周波数帯域に、互いに重複しないように周波数変換して、他の放送信号と混合する。これにより、同軸ケーブルでは伝送困難となった信号となるが、ここでは電気信号から光信号に変換して、光ファイバ１６による光伝送で行うため、伝送周波数帯による減衰量格差があるという問題は解消されている。また、伝送すべき信号をデジタルに限定することで、電気／光変換時のチャネル当たりの変調度、全変調度を抑制し、広帯域のデジタル放送信号光伝送をより安易に可能となっている。
【００２９】
以上のように、本実施形態のデジタル放送信号伝送システムは、１系統の伝送構成により全てのデジタル放送を伝送できるため、伝送媒体の少数化、装置構成の少数化によるコスト低減が図られる。また、広周波数帯域に渡る信号を光伝送手段で伝送するため、低損失かつ外部からの電気ノイズを受けない信頼性の高い伝送が行える。
【００３０】
（実施例）
図３は、図１に示したデジタル放送信号伝送システムを集合住宅に適用した場合の構成を示す図である。尚、図３において、図１と同一部分には同一符号を付して示す。
図３において特徴とする点は、光ファイバ１６の途中に光増幅器３１及び光スプリッタ３２を介在させ、送信処理装置５から送出される光信号を増幅して複数系統に分岐し、例えば各戸に伝送するようにした点にある。また、ここでは、各戸において、受信処理装置１７から出力された各放送信号は同軸ケーブル３３ａ，３３ｂ，３３ｃを介して、宅内配線設備である分配器３４ａ，３４ｂ，３４ｃなどを経て、テレビ端子３５ａ，３５ｂ，３５ｃから出力され、各々の系統にあるチューナ２５、衛星切替装置２８に入力される。
【００３１】
上記構成による放送信号伝送システムでは、中間に光増幅器３１、光スプリッタ３２を備えることにより、複数の受信処理装置への信号伝送が容易に行える。また、宅内側ではセットトップボックスなどの専用装置を必要とせず、通常のテレビジョン受像機と同様に扱うことができる。
【００３２】
さらに、集合住宅であって超高速ブロードバンド回線（ＦＴＴＨ）がすでに敷設されている場合には、同伝送媒体を共用することにより、例えば集合住宅の棟内における情報通信インフラのトータルコストを低減することができる。
図４に上記実施例の場合の光伝送時の周波数帯域区分を示す。このように、互いに重ならない周波数帯域に配置された結果、同軸ケーブルでは既に不可能な帯域となっているが、本実施例では光ファイバによる光伝送を採用するため、広帯域伝送を低損失で実現可能となる。
【００３３】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３４】
【図１】本発明に係るデジタル放送信号伝送システムの一実施形態の構成を示すブロック図。
【図２】図１のシステムで受信可能とするデジタル放送信号の種類とそれぞれの帯域を説明するための図。
【図３】図１のデジタル放送信号伝送システムを集合住宅に適用した場合の実施例の構成を示すブロック図。
【図４】図３に示すシステムで生成される光信号上の放送信号それぞれの周波数区分を示す図。
【符号の説明】
【００３５】
１…ＢＳ・１１０度ＣＳデジタル衛星放送受信用パラボラアンテナ（第１衛星デジタルアンテナ）、
２…周波数コンバータ、
３…地上デジタルＴＶ放送受信用アンテナ（地上デジタルアンテナ）、
４…ブースター、
５…送信処理装置、
６ａ，６ｂ…ＣＳデジタル衛星放送受信用パラボラアンテナ（第２衛星デジタルアンテナ）、
７ａ，７ｂ…分波部、
８ａ，８ｂ，８ｃ，８ｄ…周波数変換部、
９ａ，９ｂ，１０，１３…混合部、
１１…増幅部、
１２…入力端子、
１４…電気−光変換部（Ｅ／Ｏ）、
１５…光出力端子、
１６…光伝送路、
１７…受信処理装置、
１８…光入力端子、
１９…光−電気変換部（Ｏ／Ｅ）、
２０，２１…分割部、
２２ａ，２２ｂ…周波数変換部、
２３ａ，２３ｂ，２３ｃ…増幅部、
２４ａ，２４ｂ，２４ｃ…出力端子、
２５…分波器、
２６…地上デジタル・ＢＳ・１１０度ＣＳチューナ、
２７…テレビジョン受像器（ＴＶ）、
２８…衛星切替装置、
２９…ＣＳチューナ、
３１…光増幅器、
３２…光スプリッタ、
３３ａ，３３ｂ，３３ｃ…同軸ケーブル、
３４ａ，３４ｂ，３４ｃ…分配器、
３５ａ，３５ｂ，３５ｃ…テレビ端子。
【図１】
2006295497.tif 000003
【図２】
2006295497.tif 000004
【図３】
2006295497.tif 000005
【図４】
2006295497.tif 000006